(57)【要約】【課題】カバー部材を案内レールから取り外すことが容易なリニアガイド装置を提供する。【解決手段】リニアガイド装置は、転動体転動溝１０を有する案内レール１と、案内レール１の転動体転動溝１０に対向する転動体転動溝１１を有するとともに軸方向に相対移動可能に案内レール１に取り付けられたスライダ２と、両転動体転動溝１０，１１の間に転動自在に配された複数の転動体３と、案内レール１の上面１ｂに開口するボルト孔１ｃを塞ぐように上面１ｂを覆うカバー部材２０と、を備えている。カバー部材２０は、加熱することによって剥離可能となる接着剤２１によって、案内レール１の上面１ｂに取り付けられている。接着剤２１は、熱膨張性のマイクロカプセルを含有することが好ましい。【選択図】図３
2008175260.tif 000002
【特許請求の範囲】
【請求項１】
軸方向に延びる転動体転動溝を外面に有する案内レールと、該案内レールの転動体転動溝に対向する転動体転動溝を有するとともに軸方向に相対移動可能に前記案内レールに取り付けられたスライダと、前記両転動体転動溝の間に転動自在に配された複数の転動体と、前記案内レールの表面に形成された凹部の開口を塞ぐように前記表面の少なくとも一部を覆うカバー部材と、を備えるリニアガイド装置において、
加熱することによって剥離可能となる粘着剤又は接着剤で、前記カバー部材を前記案内レールに取り付けたことを特徴とするリニアガイド装置。
【請求項２】
前記粘着剤又は前記接着剤が熱膨張性のマイクロカプセルを含有することを特徴とする請求項１に記載のリニアガイド装置。
【発明の詳細な説明】
【技術分野】
【０００１】
本発明はリニアガイド装置に関する。
【背景技術】
【０００２】
リニアガイド装置は、ボルトによって基台に固定される場合が多い。すなわち、案内レールの上面から底面に貫通するボルト孔が複数設けられていて、このボルト孔にボルトを挿通し締め付けることにより、案内レールが基台に固定されるようになっている。通常、このボルト孔は、案内レールの上面に形成された円形の凹部や、軸方向に沿って延びる帯状の凹部の内側に開口している。
【０００３】
このような凹部内には摩耗粉やゴミが堆積しやすく、これが転動体の通路（軌道面等）に侵入すると転動体の円滑な転動が妨げられ、ひいてはスライダの円滑な移動が妨げられるおそれがある。また、摩耗粉やゴミの噛み込みによって、転動体や軌道面が損傷するおそれもある。そのため、案内レールには、前記凹部の開口を塞ぐカバー部材が取り付けられることがある。
【０００４】
例えば、特許文献１には、案内レールの上面に該上面を覆う帯状のテープが取り付けられたリニアガイド装置が開示されている。このテープは、接着剤により案内レールの上面に貼り付けられている。また、特許文献２には、案内レールの上面に該上面を覆う合成樹脂製の防塵部材が取り付けられたリニアガイド装置が開示されている。この防塵部材は接着剤を使用して固定してもよい旨が記載されている。
【特許文献１】特開２００３−２８１６０号公報
【特許文献２】実公平１−４８８３号公報
【非特許文献１】西山，佐藤，宇都，石川、「解体性接着剤および混入用マイクロカプセルの熱膨張特性」、日本接着学会誌，２００４，Ｖｏｌ．４０，Ｎｏ．７
【発明の開示】
【発明が解決しようとする課題】
【０００５】
故障等の理由によりリニアガイド装置の交換が必要になった場合には、ボルトを外すために前述のテープや防塵部材を取り外す必要がある。しかしながら、上記のような従来のリニアガイド装置は、テープ，防塵部材のようなカバー部材が案内レールに接着剤により取り付けられているため、取り外しは容易ではなかった。
また、カバー部材を案内レールから取り外したとしても、カバー部材や案内レールに接着剤が残ってしまうおそれがある。このような接着剤が残っているカバー部材や案内レールを廃棄することは、環境に配慮するという観点からすると好ましくないので、廃棄の前に接着剤を除去する必要があるが、接着剤の除去に多大な労力を要するという問題があった。
そこで、本発明は、上記のような従来技術が有する問題点を解決し、カバー部材を案内レールから取り外すことが容易なリニアガイド装置を提供することを課題とする。
【課題を解決するための手段】
【０００６】
上記課題を解決するため、本発明は次のような構成からなる。すなわち、本発明に係る請求項１のリニアガイド装置は、軸方向に延びる転動体転動溝を外面に有する案内レールと、該案内レールの転動体転動溝に対向する転動体転動溝を有するとともに軸方向に相対移動可能に前記案内レールに取り付けられたスライダと、前記両転動体転動溝の間に転動自在に配された複数の転動体と、前記案内レールの表面に形成された凹部の開口を塞ぐように前記表面の少なくとも一部を覆うカバー部材と、を備えるリニアガイド装置において、加熱することによって剥離可能となる粘着剤又は接着剤で、前記カバー部材を前記案内レールに取り付けたことを特徴とする。
また、本発明に係る請求項２のリニアガイド装置は、請求項１に記載のリニアガイド装置において、前記粘着剤又は前記接着剤が熱膨張性のマイクロカプセルを含有することを特徴とする。
【発明の効果】
【０００７】
本発明のリニアガイド装置は、カバー部材を案内レールから容易に取り外すことができる。
【発明を実施するための最良の形態】
【０００８】
本発明に係るリニアガイド装置の実施の形態を、図面を参照しながら詳細に説明する。図１は、本発明に係るリニアガイド装置の一実施形態を示す斜視図であり、図２は、図１のリニアガイド装置を軸方向から見た正面図（ただし、エンドキャップを省略して図示している）である。
まず、本実施形態のリニアガイド装置の構成を説明する。軸方向に延びる横断面略角形の案内レール１上に、横断面形状が略コ字状のスライダ２が軸方向に相対移動可能に組み付けられている。案内レール１とスライダ２の材質は特に限定されるものではないが、例えば、軸受鋼があげられる。
【０００９】
この案内レール１の上面１ｂと両側面１ａ，１ａとが交差する稜線部には、軸方向に延びる断面ほぼ１／４円弧形状の凹溝からなる転動体転動溝１０，１０が形成され、また、案内レール１の両側面１ａ，１ａの中間位置には、軸方向に延びる断面ほぼ半円形の凹溝からなる転動体転動溝１０，１０が形成されている。
また、スライダ２は、スライダ本体２Ａと、その軸方向両端部に着脱可能に取り付けられたエンドキャップ２Ｂ，２Ｂと、で構成されており、さらに、スライダ２の両端部（各エンドキャップ２Ｂの端面）には、案内レール１とスライダ２との間の隙間の開口をシールするサイドシール５，５が装着されている。
【００１０】
さらに、スライダ本体２Ａの両袖部６，６の内側面の角部には、案内レール１の転動体転動溝１０，１０に対向する断面ほぼ半円形の転動体転動溝１１，１１が形成され、両袖部６，６の内側面の中央部には、案内レール１の転動体転動溝１０，１０に対向する断面ほぼ半円形の転動体転動溝１１，１１が形成されている。
そして、案内レール１の転動体転動溝１０，１０，１０，１０と両袖部６，６の転動体転動溝１１，１１，１１，１１とで、断面ほぼ円形の転動体転動路１４，１４，１４，１４が形成されていて、これらの転動体転動路１４は軸方向に延びている。なお、案内レール１及びスライダ２が備える転動体転動溝１０，１１の数は片側二列に限らず、例えば片側一列又は三列以上などであってもよい。
【００１１】
さらにまた、スライダ２は、スライダ本体２Ａの袖部６，６の肉厚部分の上部及び下部に、転動体転動路１４と平行をなして軸方向に貫通する断面円形の貫通孔からなる転動体戻し路１３，１３，１３，１３を備えている。
一方、図示はされていないが、断面略コ字状のエンドキャップ２Ｂ，２Ｂは、スライダ本体２Ａとの当接面（裏面）に、転動体転動路１４とこれに平行な転動体戻し路１３とを連通させる半ドーナッツ状の湾曲路を有しており、これら転動体転動路１４と転動体戻し路１３と両端の湾曲路とで、略環状の転動体循環路が形成されている。この転動体循環路内には、例えば鋼球からなる多数の転動体（ボール）３が転動自在に装填されている。
【００１２】
案内レール１に組みつけられたスライダ２を案内レール１に沿って軸方向に移動させると、転動体転動路１４内に装填されている転動体３は、転動体転動路１４内を転動しつつ案内レール１に対してスライダ２と同方向に移動する。そして、転動体３が転動体転動路１４の一端に達すると、エンドキャップ２Ｂ内に備えられたタング部によって転動体転動路１４からすくい上げられ、湾曲路へ送られる。
湾曲路に入った転動体３はＵターンして転動体戻し路１３に導入され、転動体戻し路１３を通って反対側の湾曲路に至る。ここで再びＵターンして転動体転動路１４に戻り、このような転動体循環路内の循環を無限に繰り返す。
【００１３】
このようなリニアガイド装置の案内レール１には、上面１ｂから底面に貫通するボルト孔１ｃが複数設けられていて、このボルト孔１ｃにボルトを挿通し締め付けることにより、案内レール１が図示しない基台に固定されるようになっている。そして、摩耗粉やゴミがボルト孔１ｃに入らないように、案内レール１の上面１ｂはカバー部材２０（図３を参照、図１，２には図示せず）で覆われている。このカバー部材２０は、加熱することによって剥離可能となる接着剤２１（粘着剤でもよい）によって、案内レール１の上面１ｂに取り付けられている。
【００１４】
なお、案内レール１の上面１ｂの全体をカバー部材２０で覆ってもよいが、案内レール１の上面１ｂに形成された凹部の開口が全て塞がれるならば、カバー部材２０で覆われる部分は案内レール１の上面１ｂの一部でもよい。また、案内レール１の側面１ａもカバー部材２０で覆ってもよい。ただし、案内レール１の表面に形成された凹部のうち、ボルト孔１ｃ等はカバー部材２０で覆ってもよいが、転動体転動溝１０，１１は覆わないようにする必要がある。さらに、カバー部材２０の材質は特に限定されるものではなく、ステンレス鋼等の金属や樹脂で構成されたカバー部材を問題なく使用することができる。
【００１５】
このように、案内レール１の上面１ｂに形成されたボルト孔１ｃの開口がカバー部材２０で塞がれているので、ボルト孔１ｃの内部に摩耗粉やゴミが侵入することがない。よって、摩耗粉やゴミが転動体循環路に侵入して、転動体３の円滑な転動が妨げられたり、スライダ２の円滑な移動が妨げられたりすることが生じにくい。また、摩耗粉やゴミの噛み込みによる転動体３や転動体転動溝１０，１１の損傷が生じにくい。
【００１６】
また、接着剤２１は加熱されると剥離可能となる性質を備えているので、加熱することによりカバー部材２０を案内レール１から容易に取り外すことができる。よって、故障等の際には、リニアガイド装置の交換作業を容易に行うことができる。また、取り外したカバー部材２０や案内レール１に接着剤が残るおそれもほとんど無いので、カバー部材２０や案内レール１をそのまま廃棄することが可能である。
【００１７】
カバー部材２０を案内レール１から取り外す場合には、例えば図４に示すように、ヒータ３０をカバー部材２０に沿って軸方向に移動させるなどして、接着剤２１を加熱すればよい。カバー部材２０が金属製であると、加熱によりカバー部材２０に変質が生じるおそれがない。また、金属は熱伝導性が高いので、ヒーター３０からの熱が効率良く接着剤２１に伝導する。
接着剤２１は、熱膨張性のマイクロカプセルを含有することが好ましい。そうすれば、加熱によってマイクロカプセルが膨張するので、その膨張によりカバー部材２０と案内レール１の剥離がより容易となる。
【００１８】
ここで、好ましい接着剤の例を説明する。好ましい接着剤としては、エポキシ樹脂を主成分とする一般的な接着剤に、松本油脂製薬株式会社製のマツモトマイクロスフェアーＦ−３０を分散させたものがあげられる。マイクロカプセルの量は、接着剤全体の５０質量％以下とすることが好ましい。このマイクロカプセルは、樹脂（例えば、塩化ビニリデン，アクリロニトリルなどの共重合物）で構成されており、液状の炭化水素化合物を内包している。そして、常温では直径が１０μｍ以上３０μｍ以下であるが、８０℃〜１００℃程度に加熱することにより体積が５０〜１００倍に増加する性質を有している。
【００１９】
このような接着剤で２つの物体を接着し、接着剤が硬化した後に加熱すると、接着剤内のマイクロカプセルが膨張するため、２つの物体が引き離されることとなる。また、接着剤自体が膨張するので、加熱後は接着剤も物体から離れ、物体に接着剤が残りにくい。このような接着剤の一例が、非特許文献１に記載されている。
なお、本発明においては、接着剤とは、接着完了時に固体状となっているもの（固化するもの）を意味し、粘着剤とは、接着完了時に粘性を有しているものを意味する。ただし、接着剤と粘着剤のいずれを用いても、同様の効果が得られる。
【産業上の利用可能性】
【００２０】
本発明のリニアガイド装置は、製造装置，加工機械，測定機器等の各種機械に好適に利用可能である。
【図面の簡単な説明】
【００２１】
【図１】本発明に係るリニアガイド装置の一実施形態を示す斜視図である。
【図２】図１のリニアガイド装置を軸方向から見た正面図である。
【図３】カバー部材が取り付けられた案内レールの拡大断面図である。
【図４】カバー部材を案内レールから取り外す方法を説明する拡大断面図である。
【符号の説明】
【００２２】
１      案内レール
１ｂ    上面
１ｃ    ボルト孔
２      スライダ
３      転動体
１０      転動体転動溝
１１      転動体転動溝
２０      カバー部材
２１      接着剤
【図１】
2008175260.tif 000003
【図２】
2008175260.tif 000004
【図３】
2008175260.tif 000005
【図４】
2008175260.tif 000006